(57)【要約】【課題】  記録用紙と、記録用紙以外の記録媒体との双方の記録に利用可能なインクジェット記録用水性インクと、定着剤と、を含むインクセットを提供する。【解決手段】  本発明のインクセットは、インクジェット記録用水性インクと、定着剤と、を含むインクセットであって、前記インクジェット記録用水性インクは、直接染料及び酸性染料の少なくとも一方と、水、とを含み、前記定着剤は、ジアリルアミンを構成単位として有する水溶性ポリマーを含むことを特徴とする。【選択図】  なし【特許請求の範囲】
【請求項１】
インクジェット記録用水性インクと、定着剤と、を含むインクセットであって、
前記インクジェット記録用水性インクは、直接染料及び酸性染料の少なくとも一方と、水と、を含み、
前記定着剤は、ジアリルアミン類を構成単位として有する水溶性ポリマーを含むことを特徴とするインクセット。
【請求項２】
前記定着剤が、式（１）で表されるジアリルアミン類を構成単位として有する水溶性ポリマー及び式（２）で表されるジアリルアミン類を構成単位として有する水溶性ポリマーの少なくとも一方を含む請求項１記載のインクセット。
【化１】
2018188499.tif 000017
式（１）において、
Ｒ１は、アルキル基又は水素原子であり、前記アルキル基は置換基を有してもよく、直鎖でも分岐鎖でもよく、
ｎは、５〜１０００である。
【化２】
2018188499.tif 000018
式（２）において、
Ｒ２及びＲ３は、それぞれ、アルキル基であり、Ｒ２及びＲ３は互いに同一でも異なっていてもよく、前記アルキル基は置換基を有してもよく、直鎖でも分岐鎖でもよく、
Ｘ−は、アニオンであり、
ｎは、５〜１０００である。
【請求項３】
前記水溶性ポリマーの重量平均分子量が、５０００を超えて２００００未満である請求項１又は２記載のインクセット。
【請求項４】
前記水溶性ポリマーが、式（２）で表されるジアリルアミン類のみを構成単位として有する水溶性ポリマーである請求項２又は３記載のインクセット。
【請求項５】
前記定着剤全量における前記水溶性ポリマーの配合量が、５重量％以上である請求項１〜４のいずれか一項に記載のインクセット。
【請求項６】
インクジェット記録用水性インク及び定着剤を含むインクセットを用いて記録する記録方法であって、
記録媒体の種類に応じて前記定着剤を付与するか否かを選択し、付与することを選択したときは前記記録媒体に前記定着剤を付与する定着剤付与工程と、
前記記録媒体に前記水性インクをインクジェット方式により吐出して記録する記録工程と、を含み、
前記水性インクは、染料と、水と、を含み、
前記定着剤は、ジアリルアミン類を構成単位として有する水溶性ポリマーを含み、
前記定着剤付与工程において、前記記録媒体が記録用紙以外の記録媒体である場合に、前記定着剤を付与することを選択することを特徴とする記録方法。
【請求項７】
前記記録用紙以外の記録媒体が、布帛である請求項６記載の記録方法。
【請求項８】
前記記録媒体が、記録用紙以外の記録媒体である場合に、前記定着剤付与工程後に、前記記録媒体を２１０℃以下で熱処理して乾燥する乾燥工程を含む請求項６又は７記載の記録方法。
【請求項９】
基材上に、被覆層が形成された記録媒体であって、
前記被覆層が、ジアリルアミン類を構成単位として有する水溶性ポリマーを含む定着剤を用いて形成されることを特徴とする記録媒体。
【請求項１０】
前記基材が、布帛である請求項９記載の記録媒体。
【発明の詳細な説明】
【技術分野】
【０００１】
本発明は、インクセット、記録方法及び記録媒体に関する。
【背景技術】
【０００２】
コピー用紙やレポート用紙等の普通紙に対し、染料を含有する水性インク（以下、「水性染料インク」と言うことがある。）を用いて印字を行うインクジェット記録方法が提案されている（特許文献１）。
【先行技術文献】
【特許文献】
【０００３】
【特許文献１】特開２００３−１２７３５１号公報
【発明の概要】
【発明が解決しようとする課題】
【０００４】
しかしながら、普通紙等の記録用紙に加え、それ以外の布帛等の記録媒体にも記録可能な、新たなインクジェット記録方法が求められている。このとき、記録用紙向けの水性染料インクを布帛への記録に転用するのみでは、布帛を水洗すると、色落ちしてしまう。また、記録用紙への記録時と、布帛への記録時とにおける色の変化（色差）が小さいこと、及び、布帛への記録時において、記録前後での手触り、肌触り等の触感の変化が小さいことも求められる。
【０００５】
そこで、本発明は、記録用紙と、記録用紙以外の記録媒体との双方の記録に利用可能なインクジェット記録用水性インクと、定着剤と、を含むインクセットを提供することを目的とする。
【課題を解決するための手段】
【０００６】
前記目的を達成するために、本発明のインクセットは、
インクジェット記録用水性インクと、定着剤と、を含むインクセットであって、
前記インクジェット記録用水性インクは、直接染料及び酸性染料の少なくとも一方と、水と、を含み、
前記定着剤は、ジアリルアミン類を構成単位として有する水溶性ポリマーを含むことを特徴とする。
【発明の効果】
【０００７】
本発明のインクセットは、直接染料及び酸性染料の少なくとも一方を含む水性染料インクと、ジアリルアミン類を構成単位として有する水溶性ポリマーを含む定着剤と、を含むことで、記録用紙と、記録用紙以外の記録媒体との双方の記録に利用可能である。
【図面の簡単な説明】
【０００８】
【図１】図１は、本発明のインクジェット記録装置の一例の構成を示す概略斜視図である。
【図２】図２（ａ）及び（ｂ）は、本発明の記録方法による記録例を示す図である。
【発明を実施するための形態】
【０００９】
［インクセット］
本発明のインクセットについて説明する。本発明のインクセットは、インクジェット記録用水性インク（以下、「水性インク」又は「インク」と言うことがある。）と、定着剤と、を含む。
【００１０】
（水性インク）
まず、前記水性インクについて説明する。前記水性インクは、直接染料及び酸性染料の少なくとも一方と、水と、を含む。
【００１１】
前記直接染料は、特に限定されず、例えば、Ｃ．Ｉ．ダイレクトブラック、Ｃ．Ｉ．ダイレクトブルー、Ｃ．Ｉ．ダイレクトレッド、Ｃ．Ｉ．ダイレクトイエロー、Ｃ．Ｉ．ダイレクトオレンジ、Ｃ．Ｉ．ダイレクトバイオレット、Ｃ．Ｉ．ダイレクトブラウン、Ｃ．Ｉ．ダイレクトグリーン等があげられる。前記Ｃ．Ｉ．ダイレクトブラックとしては、例えば、Ｃ．Ｉ．ダイレクトブラック１７、１９、３２、５１、７１、１０８、１４６、１５４及び１６８等があげられる。前記Ｃ．Ｉ．ダイレクトブルーとしては、例えば、Ｃ．Ｉ．ダイレクトブルー６、２２、２５、７１、８６、９０、１０６及び１９９等があげられる。前記Ｃ．Ｉ．ダイレクトレッドとしては、例えば、Ｃ．Ｉ．ダイレクトレッド１、４、１７、２８、８３及び２２７等があげられる。前記Ｃ．Ｉ．ダイレクトイエローとしては、例えば、Ｃ．Ｉ．ダイレクトイエロー１２、２４、２６、８６、９８、１３２、１４２及び１７３等があげられる。前記Ｃ．Ｉ．ダイレクトオレンジとしては、例えば、Ｃ．Ｉ．ダイレクトオレンジ３４、３９、４４、４６及び６０等があげられる。前記Ｃ．Ｉ．ダイレクトバイオレットとしては、例えば、Ｃ．Ｉ．ダイレクトバイオレット４７及び４８等があげられる。前記Ｃ．Ｉ．ダイレクトブラウンとしては、例えば、Ｃ．Ｉ．ダイレクトブラウン１０９等があげられる。前記Ｃ．Ｉ．ダイレクトグリーンとしては、例えば、Ｃ．Ｉ．ダイレクトグリーン５９等があげられる。
【００１２】
前記酸性染料も、特に限定されず、例えば、Ｃ．Ｉ．アシッドブラック、Ｃ．Ｉ．アシッドブルー、Ｃ．Ｉ．アシッドレッド、Ｃ．Ｉ．アシッドイエロー、Ｃ．Ｉ．アシッドオレンジ、Ｃ．Ｉ．アシッドバイオレット等があげられる。前記Ｃ．Ｉ．アシッドブラックとしては、例えば、Ｃ．Ｉ．アシッドブラック２、７、２４、２６、３１、５２、６３、１１２及び１１８等があげられる。前記Ｃ．Ｉ．アシッドブルーとしては、例えば、Ｃ．Ｉ．アシッドブルー９、２２、４０、５９、９０、９３、１０２、１０４、１１７、１２０、１６７、２２９及び２３４等があげられる。前記Ｃ．Ｉ．アシッドレッドとしては、例えば、Ｃ．Ｉ．アシッドレッド１、６、３２、３７、５１、５２、８０、８５、８７、９２、９４、１１５、１８０、２５６、２８９、３１５及び３１７等があげられる。前記Ｃ．Ｉ．アシッドイエローとしては、例えば、Ｃ．Ｉ．アシッドイエロー１１、１７、２３、２５、２９、４２、６１及び７１等があげられる。前記Ｃ．Ｉ．アシッドオレンジとしては、例えば、Ｃ．Ｉ．アシッドオレンジ７及び１９等があげられる。前記Ｃ．Ｉ．アシッドバイオレットとしては、例えば、Ｃ．Ｉ．アシッドバイオレット４９等があげられる。
【００１３】
前記水性インク全量における前記直接染料及び前記酸性染料の少なくとも一方の配合量は、特に限定されず、例えば、０．１重量％〜２０重量％、１重量％〜１５重量％、２重量％〜１０重量％である。前記直接染料及び前記酸性染料の少なくとも一方は、１種類を単独で用いてもよく、２種類以上を併用してもよい。
【００１４】
前記水は、イオン交換水又は純水であることが好ましい。前記水性インク全量における前記水の配合量は、例えば、他の成分の残部としてもよい。
【００１５】
前記水性インクは、さらに、水溶性有機溶剤を含んでもよい。前記水溶性有機溶剤としては、例えば、インクジェットヘッドのノズル先端部におけるインクの乾燥を防止する湿潤剤及び記録媒体上での乾燥速度を調整する浸透剤があげられる。
【００１６】
前記湿潤剤は、特に限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール等のポリエーテル；アルキレングリコール、グリセリン、トリメチロールプロパン、トリメチロールエタン等の多価アルコール；２−ピロリドン；Ｎ−メチル−２−ピロリドン；１，３−ジメチル−２−イミダゾリジノン；等があげられる。前記ポリアルキレングリコールは、例えば、ポリエチレングリコール、ポリプロピレングリコール等があげられる。前記アルキレングリコールは、例えば、エチレングリコール、プロピレングリコール、ブチレングリコール、ジエチレングリコール、トリエチレングリコール、ジプロピレングリコール、トリプロピレングリコール、チオジグリコール、ヘキシレングリコール等があげられる。これらの湿潤剤は、１種類を単独で用いてもよいし、２種類以上を併用してもよい。これらの中で、アルキレングリコール、グリセリン等の多価アルコールが好ましい。
【００１７】
前記水性インク全量における前記湿潤剤の配合量は、例えば、０重量％〜９５重量％、５重量％〜８０重量％、５重量％〜５０重量％である。
【００１８】
前記浸透剤は、例えば、グリコールエーテルがあげられる。前記グリコールエーテルは、例えば、エチレングリコールメチルエーテル、エチレングリコールエチルエーテル、エチレングリコール−ｎ−プロピルエーテル、ジエチレングリコールメチルエーテル、ジエチレングリコールエチルエーテル、ジエチレングリコール−ｎ−プロピルエーテル、ジエチレングリコール−ｎ−ブチルエーテル、ジエチレングリコール−ｎ−ヘキシルエーテル、トリエチレングリコールメチルエーテル、トリエチレングリコールエチルエーテル、トリエチレングリコール−ｎ−プロピルエーテル、トリエチレングリコール−ｎ−ブチルエーテル、プロピレングリコールメチルエーテル、プロピレングリコールエチルエーテル、プロピレングリコール−ｎ−プロピルエーテル、プロピレングリコール−ｎ−ブチルエーテル、ジプロピレングリコールメチルエーテル、ジプロピレングリコールエチルエーテル、ジプロピレングリコール−ｎ−プロピルエーテル、ジプロピレングリコール−ｎ−ブチルエーテル、トリプロピレングリコールメチルエーテル、トリプロピレングリコールエチルエーテル、トリプロピレングリコール−ｎ−プロピルエーテル及びトリプロピレングリコール−ｎ−ブチルエーテル等があげられる。前記浸透剤は、１種類を単独で用いてもよいし、２種類以上を併用してもよい。
【００１９】
前記水性インク全量における前記浸透剤の配合量は、例えば、０重量％〜２０重量％、０重量％〜１５重量％、１重量％〜６重量％である。
【００２０】
前記水性インクは、必要に応じて、さらに、従来公知の添加剤を含んでもよい。前記添加剤としては、例えば、界面活性剤、ｐＨ調整剤、粘度調整剤、表面張力調整剤、防黴剤等があげられる。前記粘度調整剤は、例えば、ポリビニルアルコール、セルロース等があげられる。
【００２１】
前記水性インクは、例えば、前記直接染料及び前記酸性染料の少なくとも一方と、前記水と、必要に応じて他の添加成分とを、従来公知の方法で均一に混合し、フィルタ等で不溶解物を除去することにより調製できる。
【００２２】
（定着剤）
つぎに、前記定着剤について説明する。前記定着剤は、ジアリルアミン類を構成単位として有する水溶性ポリマーを含む。前記定着剤は、前記水溶性ポリマーを含むことが特徴であり、その他の構成は何ら制限されない。前記水溶性ポリマーは、例えば、カチオン性ポリマー、両性ポリマーであり、カチオン性ポリマーであることが好ましい。前記水溶性ポリマーは、例えば、架橋性を有さない水溶性ポリマーであってもよい。
【００２３】
前記水溶性ポリマーとしては、例えば、式（１）で表されるジアリルアミン類を構成単位として有する水溶性ポリマー、式（２）で表されるジアリルアミン類を構成単位として有する水溶性ポリマー等があげられる。前記水溶性ポリマーが、式（１）で表されるジアリルアミン類及び式（２）で表されるジアリルアミン類以外の構成単位を有さなければ、布帛への記録時において、記録前後での手触り、肌触り等の触感の変化がより小さいインクセットを得ることができる。また、前記水溶性ポリマーは、式（２）で表されるジアリルアミン類のみを構成単位として有する水溶性ポリマーであることが好ましい。前記水溶性ポリマーが、式（２）で表されるジアリルアミン類のみを構成単位として有する水溶性ポリマーであれば、記録用紙への記録時と、布帛への記録時とにおける色の変化（色差）がより小さいインクセットを得ることができる。
【化１】
2018188499.tif 000002
【化２】
2018188499.tif 000003
【００２４】
式（１）において、Ｒ１は、アルキル基又は水素原子である。前記アルキル基の炭素原子数は、例えば、１〜３、１又は２、１である。前記アルキル基としては、例えば、メチル基、エチル基、イソプロピル基等があげられる。前記アルキル基は、ハロゲン原子等の置換基を有してもよく、直鎖でも分岐鎖でもよい。
【００２５】
式（２）において、Ｒ２及びＲ３は、それぞれ、アルキル基である。前記アルキル基としては、例えば、式（１）においてアルキル基として例示したものと同様のものがあげられる。
【００２６】
式（２）において、Ｘ−は、アニオンであり、例えば、メチル硫酸イオン、エチル硫酸イオン、塩化物イオン、硫酸イオン、酢酸イオン、燐酸イオン、クエン酸イオン、アミド硫酸イオン等があげられる。
【００２７】
式（１）及び式（２）において、ｎは、例えば、５〜１０００、１０〜５００、２０〜２００である。
【００２８】
前記水溶性ポリマーの重量平均分子量は、例えば、１０００〜１０００００、２０００〜５００００、５０００を超えて２００００未満である。前記水溶性ポリマーの重量平均分子量が５０００を超えて２００００未満であれば、記録用紙への記録時と、布帛への記録時とにおける色の変化（色差）がより小さく、且つ、布帛への記録時の水洗前後での色落ちがより抑制されたインクセットを得ることができる。
【００２９】
前記水溶性ポリマーは、自家調製してもよいし、市販品を用いてもよい。前記市販品としては、例えば、センカ（株）製の「ユニセンスＦＰＡ  １００ＬＵ」、「ユニセンスＦＰＡ  １０１ＬＵ」及び「ユニセンスＫＣＡ  １０３ＬＵ」；ニットーボーメディカル（株）製の「ＰＡＳ−Ｍ−１Ａ」、「ＰＡＳ−２１」、「ＰＡＳ−８４」及び「ＰＡＳ−２４５１」；等があげられる。前記市販品の詳細は、つぎのとおりである。
ユニセンスＦＰＡ  １００ＬＵは、式（２）で表されるジアリルアミン類を構成単位として有する水溶性ポリマーであり、Ｒ２及びＲ３は、それぞれ、メチル基、Ｘ−は、メチル硫酸イオンであり、重量平均分子量は、５０００を超えて２００００未満である。
【化３】
2018188499.tif 000004
ユニセンスＦＰＡ  １０１ＬＵは、式（２）で表されるジアリルアミン類を構成単位として有する水溶性ポリマーであり、Ｒ２及びＲ３は、それぞれ、メチル基、Ｘ−は、メチル硫酸イオンであり、重量平均分子量は、２００００〜１０００００である。
【化４】
2018188499.tif 000005
ユニセンスＫＣＡ  １０３ＬＵは、式（１）で表されるジアリルアミン類及び式（３）を構成単位として有する水溶性ポリマーであり、Ｒ１は、水素原子であり、重量平均分子量は、２００００〜１０００００である。式（３）において、ｍは、式（１）のｎと同数であってもよい。
【化５】
2018188499.tif 000006
ＰＡＳ−Ｍ−１Ａは、式（１）で表されるジアリルアミン類を構成単位として有する水溶性ポリマーであり、Ｒ１は、水素原子であり、重量平均分子量は、２００００である。
【化６】
2018188499.tif 000007
ＰＡＳ−２１は、式（１）で表されるジアリルアミン類を構成単位として有する水溶性ポリマーであり、Ｒ１は、水素原子であり、重量平均分子量は、５０００である。
【化７】
2018188499.tif 000008
ＰＡＳ−８４は、式（２）で表されるジアリルアミン類と、式（４）及び式（５）と、を構成単位として有する水溶性ポリマーであり、Ｒ２及びＲ３は、それぞれ、メチル基、Ｘ−は、塩化物イオンであり、重量平均分子量は、２００００である。式（４）及び式（５）において、ｏ及びｐは、それぞれ、式（２）のｎと同数であってもよい。
【化８】
2018188499.tif 000009
ＰＡＳ−２４５１は、式（２）で表されるジアリルアミン類及び式（４）を構成単位として有する水溶性ポリマーであり、Ｒ２は、メチル基、Ｒ３は、エチル基、Ｘ−は、エチル硫酸イオンであり、重量平均分子量は、３００００である。式（４）において、ｏは、式（２）のｎと同数であってもよい。
【化９】
2018188499.tif 000010
【００３０】
前記定着剤に含まれるポリマー全量に占めるジアリルアミン類を構成単位として有する水溶性ポリマーの割合は、例えば、９０重量％を超える。すなわち、前記定着剤に含まれるポリマー全量に占めるジアリルアミン類を構成単位として有する水溶性ポリマー以外のポリマーの割合は、例えば、１０重量％未満である。前記定着剤に含まれるポリマー全量に占めるジアリルアミン類を構成単位として有する水溶性ポリマーの割合の上限は、特に制限されず、例えば、１００重量％、すなわち、前記定着剤に含まれるポリマー全てが、ジアリルアミン類を構成単位として有する水溶性ポリマーであってもよい。
【００３１】
前記定着剤全量における前記水溶性ポリマーの配合量は、例えば、１重量％以上である。前記水溶性ポリマーの配合量は、例えば、１重量％〜４０重量％、２重量％〜２０重量％、４重量％〜１０重量％、５重量％〜１０重量％であってもよい。前記水溶性ポリマーの配合量が５重量％以上であれば、記録用紙への記録時と、布帛への記録時とにおける色の変化（色差）がより小さく、且つ、布帛への記録時の水洗前後での色落ちがより抑制されたインクセットを得ることができる。
【００３２】
前記定着剤は、さらに、水を含んでもよい。前記水は、イオン交換水又は純水であることが好ましい。前記定着剤全量における前記水の配合量は、例えば、他の成分の残部としてもよい。
【００３３】
前記定着剤は、さらに、水溶性有機溶剤を含んでもよい。前記水溶性有機溶剤としては、例えば、前記水性インクにおいて例示したものと同様のものを用い得る。前記定着剤全量における前記水溶性有機溶剤の配合量は、例えば、０重量％〜９５重量％、５重量％〜８０重量％、５重量％〜５０重量％である。
【００３４】
前記定着剤は、必要に応じて、さらに、従来公知の添加剤を含んでもよい。前記添加剤としては、例えば、前記水性インクにおいて例示したものと同様のものを用い得る。
【００３５】
前記定着剤は、例えば、前記水溶性ポリマーと、必要に応じて他の添加成分とを、従来公知の方法で均一に混合することにより調製できる。
【００３６】
［記録方法］
つぎに、本発明の記録方法について説明する。
【００３７】
本発明の記録方法は、
インクジェット記録用水性インク及び定着剤を含むインクセットを用いて記録する記録方法であって、
記録媒体の種類に応じて前記定着剤を付与するか否かを選択し、付与することを選択したときは前記記録媒体に前記定着剤を付与する定着剤付与工程と、
前記記録媒体に前記水性インクをインクジェット方式により吐出して記録する記録工程と、を含み、
前記水性インクは、染料と、水と、を含み、
前記定着剤は、ジアリルアミン類を構成単位として有する水溶性ポリマーを含み、
前記定着剤付与工程において、前記記録媒体が前記記録用紙以外の記録媒体である場合に、前記定着剤を付与することを選択することを特徴とする。前記記録は、印字、印画、印刷等を含む。
【００３８】
本発明の記録方法において、前記記録用紙以外の記録媒体としては、例えば、布帛等があげられる。前記布帛は、編物及び織物の双方を含む。前記布帛の材質は、天然繊維であっても、合成繊維であってもよい。前記天然繊維としては、例えば、綿、絹等があげられる。前記合成繊維としては、例えば、ポリエステル、ナイロン、アクリル等があげられる。
【００３９】
本発明の記録方法における前記インクセットは、前記水性インクに含まれる染料が、直接染料及び酸性染料に限定されない点を除き、前述の本発明のインクセットと同様であり、その説明を援用できる。直接染料及び酸性染料以外の前記染料としては、特に限定されず、例えば、反応性染料等があげられる。直接染料及び酸性染料以外の前記染料の具体例としては、例えば、Ｃ．Ｉ．フードブラック等があげられる。前記Ｃ．Ｉ．フードブラックとしては、例えば、Ｃ．Ｉ．フードブラック１及び２等があげられる。
【００４０】
本発明の記録方法は、例えば、つぎに説明する本発明のインクジェット記録装置を用いて実施可能である。
【００４１】
本発明のインクジェット記録装置は、インクセット収容部と、定着剤付与手段と、インク吐出手段と、を含むインクジェット記録装置であって、前記インクセット収容部に、本発明の記録方法における前記インクセットが収容され、前記インクセットを構成する前記定着剤を、前記定着剤付与手段によって記録媒体に付与可能であり、前記インクセットを構成する前記水性インクが、前記インク吐出手段によって前記記録媒体に吐出されることを特徴とする。
【００４２】
図１に、本発明のインクジェット記録装置の一例の構成を示す。図示のとおり、このインクジェット記録装置１は、４つのインクカートリッジ２と、インク吐出手段（インクジェットヘッド）３と、ヘッドユニット４と、キャリッジ５と、駆動ユニット６と、プラテンローラ７と、パージ装置８と、を主要な構成要素として含む。
【００４３】
４つのインクカートリッジ２は、イエロー、マゼンタ、シアン及びブラックの４色の水性インクを、それぞれ１色ずつ含む。例えば、前記４色の水性インクのうちの少なくとも一つが、前記インクセットを構成する水性インクである。本例では、４つのインクカートリッジ２のセットを示したが、これに代えて、水性イエローインク収納部、水性マゼンタインク収納部、水性シアンインク収納部及び水性ブラックインク収納部を形成するようにその内部が間仕切りされた一体型のインクカートリッジを用いてもよい。前記インクカートリッジの本体としては、例えば、従来公知のものを使用できる。
【００４４】
ヘッドユニット４に設置されたインクジェットヘッド３は、記録媒体（例えば、記録用紙Ｐ）に記録を行う。なお、前記記録媒体は、布帛等の記録用紙Ｐ以外の記録媒体であってもよい。キャリッジ５には、４つのインクカートリッジ２及びヘッドユニット４が搭載される。駆動ユニット６は、キャリッジ５を直線方向に往復移動させる。駆動ユニット６としては、例えば、従来公知のものを使用できる（例えば、特開２００８−２４６８２１号公報参照）。プラテンローラ７は、キャリッジ５の往復方向に延び、インクジェットヘッド３と対向して配置されている。
【００４５】
パージ装置８は、インクジェットヘッド３の内部に溜まる気泡等を含んだ不良インクを吸引する。パージ装置８としては、例えば、従来公知のものを使用できる（例えば、特開２００８−２４６８２１号公報参照）。
【００４６】
パージ装置８のプラテンローラ７側には、パージ装置８に隣接してワイパ部材２０が配設されている。ワイパ部材２０は、へら状に形成されており、キャリッジ５の移動に伴って、インクジェットヘッド３のノズル形成面を拭うものである。図１において、キャップ１８は、水性インクの乾燥を防止するため、記録が終了するとリセット位置に戻されるインクジェットヘッド３の複数のノズルを覆うものである。
【００４７】
本例のインクジェット記録装置１においては、４つのインクカートリッジ２は、ヘッドユニット４と共に、１つのキャリッジ５に搭載されている。ただし、本発明は、これに限定されない。インクジェット記録装置１において、４つのインクカートリッジ２の各カートリッジは、ヘッドユニット４とは別のキャリッジに搭載されていてもよい。また、４つのインクカートリッジ２の各カートリッジは、キャリッジ５には搭載されず、インクジェット記録装置１内に配置、固定されていてもよい。これらの態様においては、例えば、４つのインクカートリッジ２の各カートリッジと、キャリッジ５に搭載されたヘッドユニット４とが、チューブ等により連結され、４つのインクカートリッジ２の各カートリッジからヘッドユニット４に前記水性インクが供給される。また、これらの態様においては、４つのインクカートリッジ２に代えて、ボトル形状の４つのインクボトルを用いてもよい。この場合、前記インクボトルには、外部から内部にインクを注入するための注入口が設けられていることが好ましい。
【００４８】
このインクジェット記録装置１を用いた記録は、例えば、つぎのようにして実施される。まず、記録媒体の種類に応じて前記インクセットを構成する定着剤を付与するか否かを選択し、付与することを選択したときは前記記録媒体に前記定着剤を付与する。具体的には、前記記録媒体が記録用紙Ｐ以外の記録媒体（例えば、布帛等）である場合に、前記記録媒体に前記定着剤を付与する。本発明において、前記定着剤の付与は、例えば、スプレー方式、スタンプ塗布、刷毛塗り、ローラ塗布、インクジェット方式等により実施できる。前記定着剤の付与は、前記記録媒体の記録面の全面でもよく、一部でもよい。一部に付与する場合、前記記録媒体の記録面の少なくとも水性インクによる記録部分が付与部となる。一部に付与する場合、付与部の大きさは、記録部分よりも大きい方がよい。例えば、図２（ａ）に示すように、記録媒体Ｆに対し、文字（Ｘ）を記録する場合は、前記文字の線幅よりも大きな線幅で付与部３０を形成するように前記定着剤を付与することが好ましい。また、図２（ｂ）に示すように、記録媒体Ｆに対し、図柄を記録する場合は、前記図柄よりも大きな付与部４０を形成するように前記定着剤を付与することが好ましい。本発明の記録方法は、例えば、前記記録媒体が記録用紙Ｐ以外の記録媒体である場合に、前記定着剤付与工程後、前記記録媒体を２１０℃以下で熱処理して乾燥する乾燥工程を含んでもよい。前記乾燥工程における前記熱処理温度の下限値は、特に制限されず、例えば、８０℃以上である。前記記録媒体が記録用紙Ｐである場合には、これらの工程を行うことなく、つぎの工程を実施する。
【００４９】
つぎに、インクジェットヘッド３から、前記記録媒体に、前記水性インクを吐出する。このとき、前記記録媒体が記録用紙Ｐ以外の記録媒体である場合には、前記定着剤の付与部に、前記水性インクを吐出する。
【００５０】
本例では、前記記録媒体が記録用紙Ｐ以外の記録媒体である場合において、前記定着剤を、前記水性インクの吐出に先立ち前記記録媒体に付与する前処理剤として使用している。ただし、本発明は、これに限定されない。本発明では、前記記録媒体に前記水性インクを先に吐出した後、前記定着剤を付与してもよいし、前記記録媒体への前記定着剤の付与と前記水性インクの吐出とを同時に行ってもよい。
【００５１】
このようにして記録された前記記録媒体は、インクジェット記録装置１から排紙される。本発明によれば、記録用紙Ｐに代えて、布帛に記録を行った場合であっても、水洗後の色落ちが抑制される。この色落ち抑制効果は、前記水性インクに含まれる染料が一般的にアニオン性であることから、前記定着剤に含まれる前記水溶性ポリマーにより、前記染料の電荷が打ち消されて非水化され、耐水性が高まったためと推定される。ただし、このメカニズムは推定に過ぎず、本発明はこれに限定されない。また、本発明によれば、記録用紙Ｐへの記録時と、布帛への記録時とにおける色の変化（色差）が小さく、且つ、布帛への記録時において、記録前後での手触り、肌触り等の触感の変化も小さい。なお、図１においては、記録用紙Ｐの給紙機構及び排紙機構の図示を省略している。
【００５２】
図１に示す装置では、シリアル型インクジェットヘッドを採用するが、本発明は、これに限定されない。前記インクジェット記録装置は、ライン型インクジェットヘッドを採用する装置であってもよい。
【００５３】
［記録媒体］
つぎに、本発明の記録媒体について説明する。
【００５４】
本発明の記録媒体は、
基材上に、被覆層が形成された記録媒体であって、
前記被覆層が、ジアリルアミン類を構成単位として有する水溶性ポリマーを含む定着剤を用いて形成されることを特徴とする。
【００５５】
本発明の記録媒体において、前記基材としては、例えば、布帛、記録用紙等があげられる。前記基材への前記被覆層の形成は、例えば、前述の本発明の記録方法における記録媒体への定着剤の付与方法と同様にして実施できる。
【００５６】
［定着剤］
つぎに、本発明の定着剤について説明する。
【００５７】
本発明の定着剤は、
インクジェット記録用水性インクに含まれる染料を記録媒体に定着させるための定着剤であって、ジアリルアミン類を構成単位として有する水溶性ポリマーと、湿潤剤と、浸透剤と、水と、を含み、
前記湿潤剤が、グリセリンを含み、
前記浸透剤が、トリエチレングリコール−ｎ−ブチルエーテルを含むことを特徴とする。
【００５８】
前記定着剤の調製は、例えば、前述の本発明のインクセットにおける定着剤の調製と同様にして実施できる。
【実施例】
【００５９】
つぎに、本発明の実施例について比較例と併せて説明する。なお、本発明は、下記の実施例及び比較例により限定及び制限されない。
【００６０】
〔水性インクの調製〕
インク組成（表１）の各成分を、均一に混合した。その後、得られた混合物を、東洋濾紙（株）製のポリテトラフルオロエチレン（ＰＴＦＥ）タイプメンブレンフィルタ（孔径０．２０μｍ）を用いてろ過することで、インクジェット記録用水性イエローインクＹ、インクジェット記録用水性マゼンタインクＭ、インクジェット記録用水性シアンインクＣ１及びＣ２を得た。
【００６１】
【表１】
2018188499.tif 000011
【００６２】
〔定着剤の調製〕
定着剤組成（表２）の各成分を、均一に混合して、１５種の定着剤を得た。
【００６３】
［実施例１〜９及び比較例１〜６］
表１に示す水性イエローインクＹ、水性マゼンタインクＭ、水性シアンインクＣ１又はＣ２と、表２に示す１５種の定着剤とを組み合わせることで、実施例１〜９及び比較例１〜６のインクセットを得た。
【００６４】
実施例１〜９及び比較例１〜６のインクセットについて、（ａ）画質評価（記録用紙と綿との色差）、（ｂ）定着性評価（綿での水洗前後の色差）及び（ｃ）触感評価を、下記方法により実施した。
【００６５】
（ａ）画質評価（記録用紙と綿との色差）
（記録用紙の評価サンプルの色測定）
ブラザー工業（株）製のインクジェットプリンタ搭載デジタル複合機ＤＣＰ−Ｊ４２２５Ｎを使用して、実施例及び比較例のインクセットを構成する水性インクを用いて、記録用紙（アスクル（株）製の「スーパーホワイト＋」）上にイエロー、シアン、マゼンタの単色パッチを記録し、評価サンプルを作製した。前記記録用紙の評価サンプルの各色パッチの色（Ｌ＊１、ａ＊１及びｂ＊１）を、Ｇｒｅｔａｇ  Ｍａｃｂｅｔｈ社製の分光測色計Ｓｐｅｃｔｒｏｌｉｎｏ（測定視野：２°；白色基準：Ａｂｓ（絶対白色）；光源：Ｄ５０；濃度基準：ＡＮＳＩ  Ｔ）により測定した。前記色（Ｌ＊１、ａ＊１及びｂ＊１）の測定結果は、３回の測定の平均値である。
【００６６】
（綿の評価サンプルの色測定）
平面サイズが１５ｃｍ×５ｃｍの綿（シーチング）上に、実施例及び比較例のインクセットを構成する定着剤１ｇを、スプレー方式により均一に付与した。前記定着剤付与後の綿に、２１０℃を上限とした高温（１８０℃〜２１０℃）のアイロンを２分間かけて乾燥させた。つぎに、前記インクジェットプリンタ搭載デジタル複合機ＤＣＰ−Ｊ４２２５Ｎを使用して、記録用紙におけるのと同様にして、前記綿上にイエロー、シアン、マゼンタの単色パッチを記録し、評価サンプルを作製した。前記綿の評価サンプルの各色パッチの色（Ｌ＊２、ａ＊２及びｂ＊２）を、前記記録用紙の評価サンプルと同様にして測定した。
【００６７】
（色差（ΔＥ１）の算出）
前記記録用紙の評価サンプルの色と、前記綿の評価サンプルの色との色差（ΔＥ１）を、下記式により算出し、下記評価基準に従って評価した。
ΔＥ１＝｛（Ｌ＊１−Ｌ＊２）２＋（ａ＊１−ａ＊２）２＋（ｂ＊１−ｂ＊２）２｝１／２
【００６８】
画質評価（記録用紙と綿との色差）  評価基準
Ａ：記録用紙と綿との色差（ΔＥ１）が、５．０以下
Ｂ：記録用紙と綿との色差（ΔＥ１）が、５．０を超えて１５．０未満
Ｃ：記録用紙と綿との色差（ΔＥ１）が、１５．０以上
【００６９】
（ｂ）定着性評価（綿での水洗前後の色差）
（ａ）画質評価（記録用紙と綿との色差）における綿の評価サンプルを、水の中で前記評価サンプルの一部が他の部分と擦れることがない程度に振りながら５分間水洗した。水洗後、乾燥して得られた前記評価サンプルの各色パッチの色（Ｌ＊３、ａ＊３及びｂ＊３）を、（ａ）画質評価（記録用紙と綿との色差）における前記記録用紙の評価サンプルと同様にして測定し、前記綿の評価サンプルの水洗前後での色差（ΔＥ２）を、下記式により算出して、下記評価基準に従って評価した。
ΔＥ２＝｛（Ｌ＊２−Ｌ＊３）２＋（ａ＊２−ａ＊３）２＋（ｂ＊２−ｂ＊３）２｝１／２
【００７０】
定着性評価（綿での水洗前後の色差）  評価基準
Ａ：水洗前と水洗後の色差（ΔＥ２）が、５．０以下
Ｂ：水洗前と水洗後の色差（ΔＥ２）が、５．０を超えて１５．０未満
Ｃ：水洗前と水洗後の色差（ΔＥ２）が、１５．０以上
【００７１】
（ｃ）触感評価
１０人の被験者が、（ａ）画質評価（記録用紙と綿との色差）における綿の評価サンプルと、定着剤の付与及び水性インクの塗布を行っていない元の綿と、を指で触り、前記評価サンプルが、前記元の綿と比べ、手触りが硬くなったと感じた人数を集計し、下記評価基準に従って評価した。
【００７２】
触感評価  評価基準
Ａ：前記評価サンプルの手触りが硬くなったと感じた人数が、１０人中２人以下
Ｂ：前記評価サンプルの手触りが硬くなったと感じた人数が、１０人中３人又は４人
Ｃ：前記評価サンプルの手触りが硬くなったと感じた人数が、１０人中５人以上
【００７３】
実施例１〜９及び比較例１〜６の定着剤組成及び評価結果を、表２に示す。なお、表２において、「ＰＡＡ（登録商標）−０１」及び「ＰＡＡ（登録商標）−０５」は、式（１１）で表されるカチオン性ポリマーを、「ポリエチレンイミン」は、式（１２）で表されるカチオン性ポリマーを、「ポバール（登録商標）  ＰＶＡ  ２０３」は、式（１３）で表されるノニオン性ポリマーを、「ピッツコール（登録商標）  Ｋ−１７Ｌ」及び「ピッツコール（登録商標）  Ｋ−３０ＡＬ」は、式（１４）で表されるノニオン性ポリマーを示す。また、表２の評価の欄における「Ｙ」は、表１に示す水性イエローインクＹと組み合わせたインクセットでの評価を示し、「Ｍ」は、表１に示す水性マゼンタインクＭと組み合わせたインクセットでの評価を示し、「Ｃ１」及び「Ｃ２」は、表１に示す水性シアンインクＣ１又はＣ２と組み合わせたインクセットでの評価を示す。
【化１０】
2018188499.tif 000012
【化１１】
2018188499.tif 000013
【化１２】
2018188499.tif 000014
【化１３】
2018188499.tif 000015
【００７４】
【表２】
2018188499.tif 000016
【００７５】
表２に示すとおり、実施例１〜９では、画質（記録用紙と綿との色差）、定着性（綿での水洗前後の色差）及び触感の評価結果が良好であった。特に、定着剤において、ジアリルアミン類を構成単位として有する水溶性ポリマーの配合量が５重量％又は１０重量％である実施例２及び３では、前記水溶性ポリマーの配合量が４重量％であること以外は同条件である実施例１と比べて、画質（記録用紙と綿との色差）及び定着性（綿での水洗前後の色差）の評価結果が優れていた。また、特に、定着剤に重量平均分子量が５０００を超えて２００００未満の前記水溶性ポリマーを用いた実施例３では、前記水溶性ポリマーの重量平均分子量が５０００以下又は２００００以上であること以外は同条件である実施例４〜９と比べて、画質（記録用紙と綿との色差）及び定着性（綿での水洗前後の色差）の評価結果が優れていた。そして、特に、前記定着剤において、前記水溶性ポリマーが、式（１）で表されるジアリルアミン類及び式（２）で表されるジアリルアミン類以外の構成単位を有さない実施例３、４、６及び７では、前記水溶性ポリマーが、式（１）で表されるジアリルアミン類及び式（２）で表されるジアリルアミン類以外の構成単位を有すること以外は同条件である実施例５、８及び９と比べて、触感の評価結果が優れていた。さらに、特に、前記定着剤において、前記水溶性ポリマーが、式（２）で表されるジアリルアミン類のみを構成単位として有する水溶性ポリマーである実施例３及び４では、前記水溶性ポリマーが、式（２）で表されるジアリルアミン類以外の構成単位を有すること以外は同条件である実施例５〜９と比べて、画質（記録用紙と綿との色差）の評価結果が優れていた。一方、構成単位としてジアリルアミン類を有さないカチオン性ポリマー又はノニオン性ポリマーを用いた比較例１〜６では、定着性（綿での水洗前後の色差）及び触感のいずれかの評価結果が悪かった。
【産業上の利用可能性】
【００７６】
以上のように、本発明のインクセットは、記録用紙と、記録用紙以外の記録媒体との双方の記録に利用可能である。本発明のインクセットの用途は、特に限定されず、各種のインクジェット記録に広く適用可能である。
【符号の説明】
【００７７】
１          インクジェット記録装置
２          インクカートリッジ
３          インク吐出手段（インクジェットヘッド）
４          ヘッドユニット
５          キャリッジ
６          駆動ユニット
７          プラテンローラ
８          パージ装置
【図１】
2018188499.tif 000019
【図２】
2018188499.tif 000020